(57)【特許請求の範囲】
【請求項１】
上方側（１２２）および下方側（１１８）を有する少なくとも１つの運搬体要素（１１４）を含む、輸送中の少なくとも１つの包み（１１２）を保護するための外側梱包（１１０）であって、前記運搬体要素（１１４）は、前記下方側（１１８）に向けられた少なくとも１つの基底部（１２０）と、前記上方側（１２２）に向けられた少なくとも１つの縁（１２６）とを含み、前記運搬体要素（１１４）は、前記上方側（１２２）に向かって少なくとも部分的に開いており、前記包み（１１２）を運搬するように設計されており、前記外側梱包（１１０）はさらに、少なくとも１つのバッグ要素（１５０）を含み、前記バッグ要素（１５０）は、前記運搬体要素（１１４）によって運搬される前記包み（１１２）を取り囲むように設計されており、前記バッグ要素（１５０）は、前記バッグ要素が少なくとも最大にものが詰められている状態で、前記運搬体要素（１１４）の前記縁（１２６）を超えて、前記運搬体要素（１１４）の前記上方側（１２２）に延在するように、前記運搬体要素（１１４）に対して配置され、前記運搬体要素（１１４）が、少なくとも２つのハンドル（１２８）を有し、前記バッグ要素（１５０）が、前記運搬体要素（１１４）を少なくとも部分的に取り囲み、前記バッグ要素（１５０）が、少なくとも２つの開口（１７６）を有し、前記ハンドル（１２８）が、前記開口（１７６）を通して利用可能であり、前記バッグ要素（１５０）は、前記バッグ要素（１５０）の上端に配置される開口（１５８）を有し、前記少なくとも１つの包み（１１２）および前記少なくとも１つの運搬体要素（１１４）は、前記バッグ要素（１５０）の内部空間において、上端に配置される前記開口（１５８）の反対側のバッグ要素の基底（１５４）の上に置かれる、ように構成され、前記バッグ要素（１５０）が少なくとも１つの受け入れ状態にされることが可能であり、前記受け入れ状態において、前記包み（１１２）を詰めるための前記バッグ要素（１５０）の開口（１５８）を開くために、前記バッグ要素（１５０）のバッグ縁（１６８）がめくられる、外側梱包（１１０）。
【請求項２】
前記運搬体要素（１１４）の前記基底部（１２０）が前記バッグ要素（１５０）の基底（１５４）に置かれるように、前記バッグ要素（１５０）が前記運搬体要素（１１４）を取り囲む、請求項１に記載の外側梱包（１１０）。
【請求項３】
前記運搬体要素（１１４）が少なくとも２つのハンドルつまみ（１３２）を有し、前記ハンドル（１２８）が前記ハンドルつまみ（１３２）の中に配置される、請求項１から２の一項に記載の外側梱包（１１０）。
【請求項４】
前記ハンドルつまみ（１３２）は、前記運搬体要素（１１４）の前記縁（１２６）から外向きに引っ張ることができるもの、および外向きに広げることができるもののうちの少なくとも１つである、請求項３に記載の外側梱包（１１０）。
【請求項５】
引っ張り出された状態、および広げられた状態のうちの少なくとも１つにおいて、前記ハンドルつまみ（１３２）が、前記縁（１２６）の上の横方向に突き出ない、請求項４に記載の外側梱包（１１０）。
【請求項６】
前記ハンドル（１２８）が、前記開口（１７６）を通して前記バッグ要素（１５０）から突き出る、請求項１から５の一項に記載の外側梱包（１１０）。
【請求項７】
前記ハンドル（１２８）がそれぞれ、少なくとも１つのハンドル補強材（１８０）を有する、請求項１から６の一項に記載の外側梱包（１１０）。
【請求項８】
前記運搬体要素（１１４）が、カートン材料、プラスチック材料、木質材料からなるグループから選択される材料より、少なくとも部分的に作り出される、請求項１から７の一項に記載の外側梱包（１１０）。
【請求項９】
前記運搬体要素（１１４）が、長方形の形状を有し、前記バッグ要素（１５０）が、４つの側を有し、そのうちの少なくとも２つの互いに向かい合う側が、少なくとも前記縁（１２６）のエッジの長さに対応する幅を有する、請求項１から８の一項に記載の外側梱包（１１０）。
【請求項１０】
前記バッグ要素（１５０）が、少なくとも１つのフィルムバッグ（１６６）を含む、請求項１から９の一項に記載の外側梱包（１１０）。
【請求項１１】
少なくとも１つの情報ラベル（１５３）が前記バッグ要素（１５０）の外部側面に適用される、請求項１から１０の一項に記載の外側梱包（１１０）。
【請求項１２】
輸送中の少なくとも１つの製品（１７４）を保護するための方法であって、少なくとも１つの包装手段（１７０）によって前記製品（１７４）を少なくとも部分的に取り囲むステップを含み、少なくとも１つの包み（１１２）が形成され、方法がさらに、輸送中の少なくとも１つの包み（１１２）を保護するための外側梱包（１１０）に前記包み（１１２）を収容するステップを含み、前記外側梱包（１１０）は、上方側（１２２）および下方側（１１８）を有する少なくとも１つの運搬体要素（１１４）を含み、前記運搬体要素（１１４）は、前記下方側（１１８）に向けられた少なくとも１つの基底部（１２０）と、前記上方側（１２２）に向けられた少なくとも１つの縁（１２６）とを含み、前記運搬体要素（１１４）は、前記上方側（１２２）に向かって少なくとも部分的に開いており、前記少なくとも１つの包み（１１２）は、前記包みが前記運搬体要素（１１４）によって運搬されるように、前記外側梱包（１１０）の中に導入され、前記外側梱包（１１０）はさらに、少なくとも１つのバッグ要素（１５０）を含み、前記バッグ要素（１５０）は、前記バッグ要素（１５０）の上端に配置される開口（１５８）を有し、前記包み（１１２）は、前記運搬体要素（１１４）によって運搬される前記包み（１１２）を前記バッグ要素（１５０）が取り囲むように、前記開口（１５８）を通して前記バッグ要素（１５０）の中に導入され、前記バッグ要素（１５０）は、前記運搬体要素（１１４）の前記縁（１２６）を超えて、前記運搬体要素（１１４）の前記上方側（１２２）に延在し、前記運搬体要素（１１４）が、少なくとも２つのハンドル（１２８）を有し、前記バッグ要素（１５０）が、前記運搬体要素（１１４）を少なくとも部分的に取り囲み、前記バッグ要素（１５０）が、少なくとも２つの開口（１７６）を有し、前記ハンドル（１２８）が、前記開口（１７６）を通して利用可能であり、前記少なくとも１つの包み（１１２）および前記少なくとも１つの運搬体要素（１１４）は、前記バッグ要素（１５０）の内部空間において、上端に配置される前記開口（１５８）の反対側のバッグ要素の基底（１５４）の上に置かれ、前記バッグ要素（１５０）が少なくとも１つの受け入れ状態にされることが可能であり、前記受け入れ状態において、前記包み（１１２）を詰めるための前記バッグ要素（１５０）の開口（１５８）を開くために、前記バッグ要素（１５０）のバッグ縁（１６８）がめくられる、方法。
【請求項１３】
前記ハンドルつまみ（１３２）が、前記運搬体要素（１１４）の前記縁（１２６）から前記上方側（１２２）に向けて、外向きに引っ張ることができる、および、外向きに広げることができるうちの、少なくとも１つである、請求項４に記載の外側梱包（１１０）。
【請求項１４】
前記ハンドル（１２８）がそれぞれ、カートン材料の上に載せられた少なくとも１つのハンドル補強材（１８０）を有する、請求項７に記載の外側梱包（１１０）。
【請求項１５】
前記運搬体要素（１１４）が、少なくとも部分的にプラスチック材料から作り出され、前記プラスチック材料は、発砲プラスチック材料である、請求項８に記載の外側梱包（１１０）。
【請求項１６】
前記フィルムバッグ（１６６）が、プラスチック材料で作られたフィルムバッグ（１６６）である、請求項１０に記載の外側梱包（１１０）。
【請求項１７】
前記プラスチック材料が、ポリエチレン、ポリプロピレン、ポリエチレンテレフタレートからなるグループより選択される、請求項１６に記載の外側梱包（１１０）。
【請求項１８】
前記情報ラベル（１５３）が、前記バッグ要素（１５０）の前記外部側面に接着結合される、請求項１１に記載の外側梱包（１１０）。
【請求項１９】
前記梱包手段（１７０）が、少なくとも１つのカートンを含む、請求項１２に記載の方法。
【発明の詳細な説明】
【技術分野】
【０００１】
本発明は、輸送中の少なくとも１つの包みを保護するための外側梱包に関する。さらに、本発明は、輸送中の製品を保護するための方法に関する。輸送中の物品を保護するためのそのような外側梱包および方法は、とりわけ、危険物、たとえば、化学産業、薬剤もしくは診断器具産業、医療技術産業、または他の部門の産業からの危険物を発送する分野において使用される。しかしながら、他の領域の使用もまた可能である。
【背景技術】
【０００２】
製品を発送する日常的業務においては、列車で、陸路で、海上で、または航空貨物で前記製品を発送するために、同一の、または異なるタイプの多様な製品が、通常組み合わされなければならない。これは、一般的には、輸送パレット、すなわち、製品がその上で積み重ねられる平板構造物を使用して行われる。輸送パレットは、通常、引き上げトラックまたはフォークリフトトラックを使用して、輸送手段の上に積まれる。概して、そのような貨物品の事例では、輸送パレットが輸送手段の上に積まれているときに、輸送される物品が落下しないように、損傷しないように、または製品が流出しないように、適切に防護されることが重要である。有害な製品、とりわけ、危険物と呼ばれるものの事例では、前記輸送保護策に、この事例における特に厳しい要件が課されなければならない。
【０００３】
これまでの輸送保護技法の事例では、したがって、製品は最初に、１つまたは複数の梱包手段、たとえば、カートンによって取り囲まれ、それにより「包み」を作り出す。前記包みは、概して、所定の積み重ね平面に従って、運搬体としてのパレット、たとえば、木材またはプラスチックで作られた「ユーロパレット」または「ワールドパレット」の上に置かれる。いっぱいではない包みの層には、荷積み補助としての空の包装手段が詰められる。続いて前記積み重ねは、オーバーパックと呼ばれるものを形成するために、フィルムで巻きつけられる。加えて、とりわけ包みが落下しないようにする輸送保護策が、概して、ひも掛けおよび／またはバンドによって作り出されなければならない。さらに、１つまたは複数のエッジ防護具が適用されてもよい。
【０００４】
それら自体が、危険物を伴う１つまたは複数の包みを含む外側梱包のために、とりわけ航空貨物の分野では、特別な要件が適用可能である。とりわけ、ＩＡＴＡ（ｉｎｔｅｒｎａｔｉｏｎａｌ  Ａｉｒ  Ｔｒａｎｓｐｏｒｔ  Ａｓｓｏｃｉａｔｉｏｎ）仕様書、セクション５、「Ｐａｃｋａｇｉｎｇ」、５．０．１．５が、オーバーパックに関係しており、その中では、危険物を伴う１つまたは複数の包みは、適切な識別情報を付けた発送ユニットを形成するように組み合わされる。前記仕様書に従って、発送者は、危険物の複数の包みを取り囲むための外側梱包を使用するとき、さまざまな要件が満たされていることを保証しなければならない。有害な形で互いに反応し得る異なる物質を含む包みも、分けられなければならない危険物を伴う包みも、１つの外側梱包内に収めることはできない。さらに、外側梱包内のそれぞれの包みは、正しく包まれ、ラベル付けされ、識別されなければならず、損傷または漏れの兆候があってはならない。さらに、包みの識別情報についての特定の要件が満たされていなければならず、それぞれの包みの指定された機能が、外側梱包によって損なわれてはならない。
【０００５】
１つまたは複数の包みが、輸送ユニットとして組み合わされ、輸送のために安全にされた現在のオーバーパックは、いくつかの欠点を有する。輸送中の物品を保護するための現在のオーバーパックは、概して、たとえば、ひも掛けの形で、包みを積荷運搬体としてのパレットに固定接続することを要する。さらに、オーバーパックの手作業による作製は、労働集約的であり、輸送コストに関して、とりわけ航空貨物において、極めてコスト高である。包みの重量にかかわらず、運搬体としての輸送パレットから生じる一般的に２５ｋｇが、常に通常のオーバーパックのコストに考慮されなければならず、これは一般に、オーバーパックユニットにつき、現在では一般に、発送ユニットごとにほぼ７０ユーロのコストをもたらす。さらに、通常の輸送パレットは、かなりの重量に関連付けられるだけでなく、かなりのコストにもまた関連付けられ、その理由は、一般に、輸送循環路が閉じた循環路ではなく、輸送パレットは、概して貨物出発地点に戻されないからである。さらなる欠点は、オーバーパックが、概して、特定の数の発送品を上回る場合にのみ形成され得ることにある。
【０００６】
説明されたオーバーパックに加えて、および言及された梱包手段に加えて、先行技術は、多様な包みについて基本的に開示しており、それらは、所定のガイドラインおよび規則を満たす場合に、基本的に、選択肢として使用されてよい。この件について、１つの考え得る包装手段の単なる例として、ＷＯ０１／２５１０１Ａｌへの参照がなされ、これは、固体材料の輸送および保管のための柔軟な中間コンテナを開示する。コンテナは、外部ハウジング、および後者の中に導入される内部バッグを備える、立方体設計を有する。外部ハウジングは、荷積み目的のためにさっと開くことができるカバー部を有する。
【０００７】
ＤＥ２６３５１０７Ａｌは、バルク材料のためのコンテナを説明する。コンテナは、たとえば、折りたためるように設計された剛性ボックスを有する。前記ボックスの側壁の下方部に、ハッチが提供される。弾性材料、たとえば、プラスチックで作られた筒が、ボックスの中に収容される。前記筒は、コンテナ部および排出部からなり、図１および５において、筒の上方端をボックスに留めるために、上方端がボックスの上縁のあたりで曲がる。保管状態において、排出部は剛性ボックスの中で折りたたまれる。
【０００８】
ＤＥ９１１４０３１Ｕ１は、底壁および側壁を有する寸法的に厳密な外部ボックス、および前記外部ボックスから取り外しが可能なインサートからなる輸送コンテナを説明する。インサートは、天然繊維材料からなるブロック形状のバッグとして設計され、バッグは、高さ部分を有する外部ボックスの側壁の上に上向きに突き出て、外部ボックスの側壁の上縁とほぼ同じ高さで上包みすることによって、閉鎖部を形成する。
【０００９】
ＷＯ２００９／０３９５４４Ａ２は、対象物のための運搬バッグを開示する。この事例では、缶ビールを伴うパレットが説明され、パレットは、缶を伴うボードトレイを有する。缶を伴うボードトレイは、フィルムによってしっかりと巻きつけられる。
【００１０】
ＤＥ７６０２２４４Ｕ１は、洪水時に、パレットに置かれた物品を保護するためのプラスチックバッグを開示する。たとえば、単一の図が示すように、製品を伴うパレットを取り囲むプラスチックバッグの使用がこの事例においてなされる。プラスチックバッグは、浮動する上方エッジを有する。
【００１１】
ＧＢ２３４０１０８Ａは、多層の製品梱包を説明する。後者は、たとえば、段ボールから作り出されてよい、実質的に平面の基底を含む。
ＤＥ１１５１２１５Ｂは、たとえば、果物用の運搬バスケットとしての役割を果たすことができる、ボードまたは段ボールで作られた輸送コンテナを開示する。前記運搬バスケットが、たとえば対応する半加工品から作り出されてよいこと、および後者が、運搬ハンドルとしての切り抜き部を有するつまみを含んでよいことが、図１および図３に示される。
【００１２】
しかしながら、上述のように、そのような知られた梱包手段は、荷積みの後に、輸送中の保護のために組み合わされて、たとえば、知られているオーバーパックの形で、再び輸送ユニットを形成しなければならないという技術的要件が存在し、上で説明したような要件および欠点を有する。
【発明の概要】
【発明が解決しようとする課題】
【００１３】
したがって、本発明の目的は、輸送中の少なくとも１つの包みを保護するための外側梱包、および輸送中の少なくとも１つの製品を保護するための方法であって、輸送中の物品を保護するための、知られている外側梱包および方法の欠点を少なくとも実質的に回避する、外側梱包および方法を提供することである。とりわけ、輸送ユニットを作り出すために大幅に削減された梱包コストおよび大幅に削減された作業経費を含んで、コスト効率よく輸送中の物品を保護することが提供されるよう意図される。さらに、外側梱包の重量および体積は、知られているオーバーパックに対して、大幅に削減されることが意図される。
【課題を解決するための手段】
【００１４】
この目的は、独立特許請求項の特徴を有する本発明によって達成される。個々に、または任意の組み合わせによって実現され得る本発明の有利な成果は、従属請求項において提示される。
【００１５】
本発明の第１の態様において、輸送中の、少なくとも１つの包み、好ましくは少なくとも２つの包みを保護するための外側梱包が提案される。この事例において、包みは、少なくとも１つの包装手段、および、包装手段に完全に、または部分的に収容される少なくとも１つの製品からなるユニットを意味するものとして理解されるべきである。とりわけ、製品は危険物であってよい。包装手段は、とりわけ、カートン、あるいは、別のタイプの包装手段であってよい。包みにおける異なる包装手段の組み合わせもまた可能である。
【００１６】
少なくとも１つの包みは、陸上で、海上で、航空交通で、または挙げられた輸送手段の組み合わせにおいて輸送され得るために、輸送保護策、とりわけ、輸送中の物品を保護する動作は、概して、少なくとも１つの包み、好ましくは少なくとも２つの包みの準備を意味するものとして理解されるべきである。とりわけ、輸送保護策は、通常の輸送規則を満たすような、たとえば、危険物について、航空交通のための上述したＩＡＴＡ規則を満たすように構成されることが意図される。
【００１７】
輸送ユニットは、以下で、少なくとも１つの包み、好ましくは少なくとも２つ以上の包み、および外側梱包を含むユニットを意味するものとして理解される。輸送ユニットは、とりわけ、たとえば貨物コンパートメントの荷積みもしくは荷下ろし時に、または保管のために、最終的には、一点のものとして構成され、事実上の個々の部品として扱われてよい。とりわけ、輸送中の物品を保護することは、複数の包みが外側梱包によって組み合わされて、輸送ユニットを形成するように行われてよい。
【００１８】
本発明の状況内において、外側梱包は、少なくとも１つの包み、好ましくは少なくとも２つ以上の包みを、少なくとも部分的に、好ましくは完全に取り囲む、輸送ユニットにおける梱包を意味するものとして理解されるべきである。とりわけ、外側梱包は、輸送ユニット内で、包みが、落下しない、および／または滑らないように保護されるのを確実にすることができる。さらに、外側梱包は、外側の影響から少なくとも１つの包みを防護すること、たとえば、ほこり、汚れ、湿気、機械的影響、または、少なくとも１つの包みおよび／もしくは製品を損なう恐れのある他のタイプの影響に関する防護を確実にすることができる。
【００１９】
外側梱包は、上方側および下方側を有する少なくとも１つの運搬体要素、好ましくはまさに１つの運搬体要素を有する。この事例において、運搬体要素は、少なくとも１つの包みを、たとえば、後者が少なくとも１つの上方側の上に直接的にまたは間接的に置かれることによって、受け入れるように設計された要素を意味するものとして理解されるべきである。運搬体要素は、とりわけ、運搬体要素自体が損傷されることなく、たとえば、裂けたり、壊れたりすることなく、前記運搬体要素が、運搬体要素上に収容される包みを、少なくとも特定の最大荷重負担能力まで持ち上げるのを可能にするような、機械的安定性を有することが意図される。運搬体要素は、とりわけ、実質的に寸法安定性であるように設計されてよく、すなわち、前記運搬体要素が、所定の最大荷重負担能力まで、たとえば、運搬体要素が過度の変形のために壊れる、または裂けるような程度の、最大７５ｋｇまで、または最大５０ｋｇまで、変形しないように設計されてよい。
【００２０】
少なくとも１つの運搬体要素は、下方側に向けられた少なくとも１つの基底部と、上方側に向けられた少なくとも１つの縁を有する。基底部は、たとえば、前記基底部が、少なくとも１つの包み、好ましくは複数の包みで直接的にまたは間接的に積まれ得るように設計される。たとえば、前記基底部は、たとえば、長方形の面積を有する平坦部として設計されてよい。とりわけ、基底部は、その横方向の広さよりも、少なくとも１０分の１、好ましくは少なくとも１００分の１に減少した厚さを有する、プレート様部分として設計されてよい。とりわけ、基底部は、たとえば、最大でも５０ｍｍ、好ましくは、最大でも３０ｍｍ、とりわけ、最大でも２０ｍｍ、および特に好ましくは、最大でも１０ｍｍの厚さを有する長方形のプレート様部分として設計されてよい。
【００２１】
さらに、運搬体要素は、上方側に向けられた少なくとも１つの縁を有する。好ましくは少なくとも部分的に基底部を包囲する前記縁は、運搬体要素が、少なくとも部分的に上方側に向かって開いて、直接的にまたは間接的に包みを運搬するように設計されるように設計される。したがって、運搬体要素は、とりわけ、トレイと呼ばれるものとして、すなわち、開いた梱包手段として、設計されてよく、これは、必須ではないが好ましくは、上方側に向かって上向きに突き出る縁を完全に包囲するトレイ形状と、好ましくは、縁によって取り囲まれる基底部とを有することが好ましい。縁は、たとえば、基底部の表面広さに対して垂直な高さを有することができ、高さは、最大でも３００ｍｍ、好ましくは、最大でも２００ｍｍ、とりわけ、最大でも１５０ｍｍである。とりわけ、縁は、５０ｍｍから２００ｍｍの高さ、とりわけ、１００ｍｍから１５０ｍｍの高さ、および特に好ましくは、１２０ｍｍの高さを有することができる。
【００２２】
輸送中の物品を保護するために、運搬体要素は、とりわけ、輸送パレットの代わりに使用されてよく、または、従来のタイプの輸送パレット、たとえば、ユーロパレットもしくはワールドパレットが追加的に必要とされない輸送パレットとして、使用されてよい。したがって、追加の輸送パレットなしの外側梱包の使用が特に好ましい。したがって、外側梱包は、とりわけ、包みおよび外側梱包に加えて、いかなるさらなる輸送パレットも、とりわけ、ユーロパレットおよびワールドパレットも有さない、輸送ユニットの範囲内で使用されてよい。しかしながら、当然、本発明による外側梱包は、追加的に、下方側に向けられた基底部のその側で、パレットの上に置かれてもよい。
【００２３】
少なくとも１つの運搬体要素に加えて、外側梱包はさらに、少なくとも１つのバッグ要素、好ましくはまさに１つのバッグ要素を有する。この事例において、バッグ要素は、少なくとも１つの内部空間、好ましくはまさに１つの内部空間を有する、変形可能な要素を意味するものとして理解され、内部空間は、少なくとも部分的に、バッグ要素のバッグ壁によって取り囲まれている。バッグ壁は、好ましくは、薄く、容易に変形可能であるように設計され、したがって、たとえば、内部空間の形状は、特定の制限内で、内部空間に詰められたものに適応されてよい。たとえば、バッグ壁は、２ｍｍ未満の、好ましくは、１ｍｍ未満の、および特に好ましくは０．５ｍｍ未満の、またはさらに０．２ｍｍ未満の壁厚を有することができる。たとえば、バッグ壁は、０．１ｍｍから２ｍｍの、とりわけ０．２ｍｍから１．５ｍｍの、および特に好ましくは、０．３ｍｍから１．０ｍｍの壁厚を有することができる。とりわけ、バッグ壁は、単層として設計されてよいが、多層のバッグ壁、たとえば、ラミネートもまた使用可能である。とりわけ、バッグ壁は、切れ目のないバッグ壁であってよく、切れ目のないバッグ壁は、たとえば、切れ目のない片から製造される、および／または、たとえば、向かい合うエッジを接着結合する、もしくは溶着することによって、切れ目のない片を形成するように接続されている。
【００２４】
バッグ要素は、少なくとも１つの開口、好ましくはまさに１つの開口を有し、開口は、好ましくは、閉鎖可能であって、開口を通してバッグ要素にものが詰めることができる、および／または、バッグ要素を空にすることができるように設計される。たとえば、バッグ要素は、円形、楕円形、または多角形の筒横断面を有する筒状設計であってよく、開口は、筒の一端に配置され、筒の向かい合う端は、閉鎖されるように設計される。バッグ要素はしたがって、たとえば、一般的に、用語バッグ要素に含まれることが意図されない、巻きつけられたフィルム梱包とは異なる。
【００２５】
バッグ要素は、たとえば、バッグ壁によって取り囲まれた、まさに１つの内部空間を有することができ、バッグ壁は、好ましくは、まさに１つの開口を有し、たとえば、円形、楕円形、または多角形の横断面を有する開口を通して、たとえば、少なくとも１つの包み、および、好ましくはまた以下でより詳細に説明されるような少なくとも１つの運搬体要素が、内部空間の中に導入されてよい。外側梱包は次いで、たとえば、ものが詰められた状態で、たとえば最大限までものが詰められた状態で、開口が、バッグ要素の上端に配置され、一方、少なくとも１つの包み、およびオプションで少なくとも１つの運搬体要素が、バッグ要素の内部空間の中で開口と向かい合うバッグ要素の基底の上に、直接的にまたは間接的に置かれるように構成されてよい。
【００２６】
バッグ要素は、運搬体要素によって運搬される包みを取り囲むように設計される。前記取り囲みは、好ましくは、完全であり得るが、部分的な取り囲みもまた原則としては可能である。バッグ要素は、少なくともバッグ要素の最大にものが詰められている状態で、運搬体要素の縁を超えて、運搬体要素の上方側に延在するように、運搬体要素に対して配置される。とりわけ、バッグ要素は、最大限までものが詰められた状態で、たとえば、接着結合剤によって、とりわけ１つまたは複数のスリップオーバー手段によって、バッグ要素の開口が閉鎖されることにより、閉鎖されてよい。言い換えれば、バッグ要素は、好ましくは、少なくとも後者に最大限までものが詰められた外側梱包の状態において、たとえば、完全にものが詰められた外側梱包の状態において、たとえば、少なくとも縁の高さだけ、好ましくは、少なくとも縁の高さの２倍だけ、および特に好ましくは、縁の高さの少なくとも３倍、または少なくとも４倍だけ、上方側に向けて、運搬体要素の縁の上に上向きに突き出るように意図される。たとえば、上で説明されたように、運搬体要素の縁は、２００ｍｍを超えない、好ましくは１５０ｍｍを超えない、またはさらに１２０ｍｍを超えない高さを有することができる。
【００２７】
本発明の状況内において、最大にものが詰められている状態、または最大限までものが詰められた状態とは、バッグ要素が基底部の表面に対して垂直方向に引き伸ばされることなく、とりわけバッグ要素が裂けることなく、バッグ要素の内容物の全体の高さが、バッグ要素において占有され得る最大高さに達しているような、少なくとも１つの包みがバッグ要素の中に導入された状態を意味するものとして、理解される。言い換えれば、バッグ要素は、以下のように設計されることが意図される。１つまたは複数の包みが、運搬体要素の基底部の上でバッグ要素に収容され、前記包みの上方側が、運搬体要素の上の最も遠くに突き出て、したがって、好ましくは、輸送ユニットにおける包みの最大高さを決定するように、包みの上方側が運搬体要素の縁の上方エッジより上に配置されることを、前記バッグ要素が可能にする。
【００２８】
その中に封入される１つまたは複数の包みが詰められた状態において、バッグ要素は、少なくとも２００ｍｍ、たとえば、少なくとも３００ｍｍ、少なくとも５００ｍｍ、または少なくとも１０００ｍｍであってよい、基底部より上の高さにあってよい。とりわけ、最大にものが詰められている状態で、バッグ要素は、少なくとも２０ｍｍだけ、好ましくは、少なくとも５０ｍｍ、とりわけ少なくとも１００ｍｍだけ、またはさらに少なくとも２００ｍｍ、特に好ましくはさらに少なくとも５００ｍｍだけ、運搬体要素の縁の上方エッジの上に、上方側に突き出ることができる。しかしながら、その中に少なくとも１つの包みが封入された外側梱包の実際の高さは、基本的に、包みのタイプに従って決定される。柔軟な性質のバッグ要素と組み合わされた、運搬体要素の上向きに開いた構成は、基本的に、上向きの外側梱包の高さにおける柔軟性を提供する。したがって、外側梱包は、とりわけ、その高さが、少なくとも所定の最大高さまで、および／または定義された包みの所定の最大数まで、少なくとも１つの包みに、および／またはさまざまな数の包みに柔軟に適応できるように構成されてよく、バッグ要素は、常に、最も上の包みの上方側に少なくとも部分的に重なり合うことができる。
【００２９】
少なくとも１つの運搬体要素、および少なくとも１つのバッグ要素は、概して、互いに対して異なるように配置されてよく、そのやり方はまた、たとえば、提供される複数のバッグ要素によって組み合わされてもよい。
【００３０】
第１のやり方では、バッグ要素は、たとえば、バッグ要素の基底が運搬体要素の基底部に置かれるように、運搬体要素の中に導入されてよい。言い換えれば、たとえば、運搬体要素を形成するトレイが、バッグ要素のための運搬体としての役割を果たすことができる。前記置かれることは、ゆったりと行われてよく、バッグ要素は、運搬体要素に固定されない。代替として、以下でより詳細に説明されるように、バッグ要素はまた、たとえば接着結合剤によって、およびとりわけ、少なくとも１つの両面接着細片を用いて、運搬体要素に固定されてもよい。
【００３１】
代替として、または追加して使用可能なさらなるやり方では、バッグ要素が運搬体要素を完全に、または部分的に取り囲むように、バッグ要素および運搬体要素がまた、互いに対して配置されてもよい。これはとりわけ、運搬体要素の基底部が、バッグ要素の内部で、バッグ要素の基底に置かれるように行われてよい。この事例では、運搬体要素の基底部は、バッグ要素の基底の上にゆったりと、すなわち固定せずに、置かれてよいが、代替として、たとえば、運搬体要素、およびとりわけ運搬体要素の基底部が、たとえば、１つまたは複数の両面接着細片によって、バッグ要素に接着結合されることにより、運搬体要素をバッグ要素に固定することもまた可能である。しかしながら、バッグ要素の上に、たとえば、バッグ要素の基底の上に、運搬体要素がゆったりと置かれることが好ましい。
【００３２】
バッグ要素が運搬体要素を、完全に、または部分的に取り囲む構成は、とりわけ、バッグ要素が、運搬体要素および少なくとも１つの包みに、水に対する防護を同時に提供できるという利点をもたらす。このやり方において、以下でより詳細に説明されるように、運搬体要素は、たとえば、基本的に、湿度安定性の点においていかなる厳しい要件も必要としない少なくとも１つの材料から、完全に、または部分的に、作り出されてよい。たとえば、運搬体要素は、完全に、または部分的にカートン材料から、たとえば、段ボールから作り出されてよい。バッグ要素によって運搬体要素が取り囲まれるさらなる利点は、原則として、運搬体要素がバッグ要素に固定される必要がないことにあり、その逆もまた同様である。バッグ要素が運搬体要素を、完全に、または部分的に取り囲むので、少なくとも１つの包みを含む運搬体要素が内部空間の中に滑り込むのを可能とせず、運搬体要素は、バッグ要素の中にゆったりと収まることができる。とりわけ、たとえば、バッグ要素の開口が１つもしくは複数の接着細片または別のやり方によって閉鎖されている、バッグ要素の閉鎖状態において、バッグ要素および運搬体要素、ならびにオプションで少なくとも１つの包みは、互いに接続される。
【００３３】
運搬体要素およびバッグ要素は、とりわけユニットを形成することができる。すでに上で説明されたように、運搬体要素およびバッグ要素は、互いに対してゆったりと配置されてよく、しかしまた、たとえば、一体的な結合接続、好ましくは接着結合剤によって、互いに接続されてもよい。たとえば、上で説明された第１のやり方では、運搬体要素の基底部とバッグ要素の基底との間に、接着結合剤が提供されてよく、たとえば、そのような接着結合剤は、バッグ要素の基底の下方外部側面に適用されてよい。接着結合は、たとえば、接着剤および／または接着細片、たとえば、両面接着テープによって、確実にされてよい。上で説明された第２のやり方では、少なくとも１つの接着手段が、たとえば、バッグ要素の内部に導入されてよく、かつ、少なくとも１つの接着手段は、バッグ要素の内部空間に向けられたバッグ要素の基底のその側を、運搬体要素の下方側、たとえば、運搬体要素の基底部の下方側に接着結合するために使用されてよい。前記接着手段は、たとえば、少なくとも１つの接着剤および／または少なくとも１つの接着細片、たとえば、少なくとも１つの両面接着テープを含むことができる。しかしながら、運搬体要素とバッグ要素との間の一体的な結合接続の代替として、運搬体要素の上にバッグ要素を単に置くこと、またはその逆が、前記要素間を固定接続することなしに、提供されてよい。再び代替として、他のタイプの接続、たとえば、摩擦接続、および／または、たとえば１つまたは複数のクリップを介した形状適合接続がまた提供されてもよい。以下でさらに詳細に説明されるように、形状適合接続はまた、運搬体要素のオプションのハンドルつまみによって行われてよく、このハンドルつまみは、ハンドルつまみのために提供されるハンドル開口を通して、バッグ要素の中に突き出て、その結果、運搬体要素とバッグ要素との間に、形状適合接続をもたらす。
【００３４】
外側梱包は、とりわけ、複数の状態を有することができる。たとえば、バッグ要素は、少なくとも１つの受け入れ状態にされてよく、受け入れ状態において、バッグ要素の開口が、少なくとも１つの包みを詰めるために開かれてよい。たとえば、受け入れ状態は、前記受け入れ状態において、少なくとも１つの包みを詰めるためのバッグ要素の開口を開くために、バッグ要素の１つまたは複数のバッグ縁がめくられるように構成されてよい。
【００３５】
バッグ要素は、少なくとも１つの発送状態を有することができる。とりわけ、バッグ要素は、少なくとも１つの包みがバッグ要素に収容された、少なくとも１つの発送状態にされてよく、包みは、好ましくは完全に、バッグ要素によって取り囲まれる。
【００３６】
たとえば、上で説明されためくられたバッグ縁による受け入れ状態から、折り返されたバッグ縁による発送状態への移行が行われてよく、移行は、少なくとも１つの包みがバッグ要素の内部空間の中に導入され、少なくとも１つの包み、好ましくは複数の包みの上方側の上で、留められた後に行われてよい。続いて、バッグ要素の開口が、たとえば、接着結合することによって、および／または、１つもしくは複数の閉鎖要素、たとえば、１つもしくは複数の接着細片、接着剤、摩擦接続要素、形状適合接続要素、または前記オプションの任意の組み合わせを使用することによって、たとえば閉鎖されてよい。バッグ要素のバッグ縁がめくられた受け入れ状態はまた、たとえば、外側梱包が提供される、前記外側梱包の受け渡し状態であってもよい。
【００３７】
上で説明されたように、包みは、とりわけ、少なくとも１つの包装手段と、包装手段によって少なくとも部分的に、好ましくは完全に取り囲まれた少なくとも１つの製品とを含むことができる。梱包手段は、とりわけ、カートンおよび／またはカートン材料を含むことができる。しかしながら、原則としては、他のタイプの包装手段もまた考えられる。
【００３８】
さらに可能な改善点は、運搬体要素に関する。上で説明されたように、好ましくは追加の輸送パレットの使用が必要ないように、使用される外側梱包が好ましい。したがって、運搬体要素は、とりわけ、輸送中に発生する通常の力の下で、実質的に寸法安定性であるように設計されてよい。運搬体要素は、好ましくは、カートン材料、プラスチック材料、とりわけ発砲プラスチック材料、木質材料からなるグループから選択される材料より、少なくとも部分的に作り出されてよい。この事例において、単層材料、あるいは、多層材料、たとえば、複合材料またはラミネート材料が使用されてよい。カートン材料の使用が、特に好ましい。運搬体要素は、とりわけ、カートン材料の半加工品から、たとえば、単に折りたたむ、および／または曲げることによって、作り出されてよい。たとえば、半加工品は、複数の折りたたみ線、およびオプションで１つまたは複数の打ち抜き穴を有してよい、平らなカートン材料の半加工品であってよい。運搬体要素は、５０ｍｍを超えない、特に好ましくは、３０ｍｍを超えない、およびとりわけ２０ｍｍを超えない、またはさらに１０ｍｍを超えない厚さを有する材料から作り出されれば、特に好ましい。そのような厚さは、たとえば、カートン材料の場合、たとえば、段ボール、および／または他のタイプのカートン材料によって実現され得る。
【００３９】
運搬体要素は、とりわけ、少なくとも２つのハンドル、好ましくは、互いに向かい合う少なくとも２つの側に配置されたハンドルを有することができる。たとえば、運搬体要素は、それぞれの事例において、２つの互いに向かい合う側に少なくとも２つのハンドルを有することができ、それぞれの事例において、１つの側のハンドルと、他の側のハンドルとは、対になって互いに向かい合う。この事例において、ハンドルは、運搬体要素の２つの側、あるいは、たとえばより多くの側、たとえば、４つの側に提供されてもよい。
【００４０】
ハンドルは、とりわけ、直近にある複数の外側梱包の配置を邪魔しないように設計されてよく、その結果、複数の外側梱包が、互いに隣り合って可能な限り詰めて置かれてよい。とりわけ、運搬体要素は、少なくとも２つのハンドルつまみを有することができ、ハンドルは、ハンドルつまみの中に配置される。この事例において、ハンドルつまみは、運搬体要素からの突起を意味するものとして理解されるべきであり、突起は、運搬体要素に対して固定されて、あるいは柔軟に、配置されてよい。たとえば、ハンドルつまみは、運搬体要素のその他の部分と同じ材料から作り出されても、あるいは、異なる材料から作り出されてもよい。とりわけ、ハンドルつまみは、カートン材料から作り出されてよい。ハンドルつまみは、たとえば、運搬体要素の縁から、とりわけ上方側に向けて、外向きに引っ張ることができる、および／または広げることができるように設計されてよい。たとえば、上方側に向いた縁は、上方エッジを有することができ、ハンドルつまみは、たとえば、引っ張り出された、および／または広げられた後に、ハンドルつまみが上方側に向けて基底部から垂直に突き出るように、エッジから外向きに引っ張ることができる、および／または広げることができる。このようにして、複数の外側梱包は、ハンドルつまみが引っ張り出された、および／または広げられた状態でも、互いに隣り合って可能な限り詰めて置くことができる。とりわけ、ハンドルつまみは、引っ張り出された状態において、前記ハンドルつまみが縁の上の横方向に突き出ないように構成されてよく、その結果、たとえば、ハンドルつまみが引っ張り出された、および／または広げられたことによって、運搬体要素の寸法は、基底部に対して平行な平面において増加しない。
【００４１】
ハンドル、たとえば、ハンドルつまみは、原則として、運搬体要素のその他の部分と同じ材料から、たとえば段ボールなどの、たとえばカートン材料から作り出されてよい。他の構成もまた可能である。さらに、ハンドル、とりわけハンドルつまみは、それぞれの事例において、ハンドルの安定性を高める１つまたは複数のハンドル補強材を有することができる。たとえば、プラスチック材料および／または接着テープからなるハンドル補強材は、運搬体要素の材料に適用され、たとえば接着結合されて、ハンドルのうちの１つ、２つ以上、またはすべてに提供されてよく、ハンドル補強材は、ハンドルの開口、とりわけハンドルつまみを、完全に、または部分的に、取り囲むことができる。
【００４２】
上で説明されたように、運搬体要素およびバッグ要素は、互いにまた組み合わせ可能な異なるやり方で、互いに対して配置されてよい。バッグ要素が運搬体要素を、少なくとも部分的に、好ましくは完全に取り囲むように、外側梱包が構成される場合、前記構成は、それでもなお、上で説明された少なくとも２つのハンドルの構成と組み合わせることができる。バッグ要素は、したがって、たとえば、少なくとも２つの追加の開口を有することができ、２つの追加の開口は、バッグ要素の荷積みのために使用可能なバッグ要素の開口とは異なるものの、やはりハンドル開口と呼ばれてもよく、ここで、ハンドル、とりわけハンドルつまみは、前記ハンドル開口を通して利用可能である。前記ハンドル開口は、たとえば、バッグ要素において、スロット、円形または角のある開口として構成されてよい。とりわけ、スロットは、ハンドルの長さ、とりわけハンドルつまみの長さに対応した長さであってよい。バッグ要素が、バッグ要素の基底部としての役割を果たす閉じた端と、基底部と向かい合う開口とを有する筒状構成である場合、ハンドル開口は、たとえば、基底部と開口とを接続する側である、筒状のバッグ要素の側壁に配置されてよい。ハンドル開口は、したがって、好ましくは、バッグ要素の荷積みを担う開口とは異なる。この事例では、開口またはハンドル開口はまた、異なる状態を有することができ、たとえばまた、打ち抜き穴として構成されてもよい。たとえば、少なくとも２つの打ち抜き穴が、バッグ要素の少なくとも１つのバッグ壁、好ましくは少なくとも２つの互いに向かい合うバッグ壁に提供されてよい。少なくとも２つの開口は、好ましくは、運搬体要素のハンドルの位置に対応することができる。
【００４３】
ハンドルの利用可能性は、ハンドル開口を通して、さまざまな形で確実にされてよい。たとえば、開口を通して、バッグ要素の中に届くことが可能である。代替として、またはそれに加えて、ハンドル、とりわけハンドルつまみはまた、開口を通して、バッグ要素から突き出ることができ、それにより、利用可能であってよい。たとえば、そこを通してハンドルつまみが外向きに折りたたまれてよいスロットまたは打ち抜き穴が、引き伸ばされた形で提供され、それにより、ユーザに利用可能であってよい。バッグ要素は、それにより、運搬体要素、および少なくとも１つの包み、好ましくは複数の包みを、完全に、または部分的に取り囲むことができ、それでもなお、運搬体要素のハンドルは、外側梱包または輸送ユニットを輸送するために利用可能である。とりわけ、バッグ要素は閉鎖することができ、前記閉鎖状態において、運搬体要素のハンドルは、ハンドル開口を通して利用可能であってよく、たとえば、バッグ要素および／または外側梱包の前記閉鎖状態において、運搬体要素のハンドルがハンドル開口を通してバッグ要素から突き出ることによって、利用可能であってよい。たとえば、そこを通してバッグ要素に包みが積まれてよい少なくとも１つの開口は、たとえば、外側梱包に包みが詰められたとき、たとえば、少なくとも１つの接着細片を用いて、閉鎖することができる。それでもなお、開口が閉鎖された、少なくとも１つの包みが外側包装の中に位置する前記積まれた状態において、ハンドルは、たとえば、前記ハンドル、およびとりわけハンドルつまみが、ハンドル開口を通してバッグ要素から突き出ることによって、ハンドル開口を通して利用可能であってよい。
【００４４】
そこを通してハンドル、とりわけハンドルつまみが利用可能である開口は、とりわけ、バッグ要素の基底部から間隔を開けるように配置されてよい。たとえば、バッグ要素が運搬体要素を取り囲み、運搬体要素がバッグ要素の基底部に置かれているとき、開口および／またはハンドルが、運搬体要素の下方側から、たとえば、運搬体要素の座面から、少なくとも１００ｍｍだけ、好ましくは少なくとも１５０ｍｍだけ、離れて配置され得るように、前記間隔が構成されてよい。それにより、たとえば、少なくとも１００ｍｍ未満、および好ましくは１５０ｍｍ未満の水位において、水が、開口を通してバッグ要素の内部に浸透できないことを確実にすることができる。
【００４５】
ハンドル、とりわけハンドルつまみが開口を通して利用可能であり、とりわけバッグ要素から突き出る構成は、さまざまな点において非常に有利である。バッグ要素の開口またはハンドル開口が、好ましくは、常に運搬体要素のハンドルの到達性を確実にし、したがって、すぐれた取扱い性を確実にする。同時に、この構成では、たとえば、湿気に対するバッグ要素の防護効果が、運搬体要素の高い運搬力と組み合わせ可能である。バッグ要素は、好ましくはカートン材料から作り出されてよい運搬体要素を、湿気から防護し、一方で、少なくとも１つの包みの積荷は、前述のように、運搬体要素によって運搬されてよい。外側梱包は、ハンドルを用いて簡単に輸送され得るため、外側梱包がその上に置かれる、および／または、その上で輸送されるように構成される、追加のパレットおよびプレートは、必要とされない。それとは対照的に、たとえば、ＤＥ３２７６１５２による洪水に対するパレットの防護では、閉鎖状態での輸送は、困難を伴ってのみ可能か、まったく可能ではない。というのは、たとえば、フォークリフトトラックを用いたパレットの輸送のために提供されるパレット穴もまた、バッグによって閉鎖され、したがって、もはや利用可能でなくなるためである。
【００４６】
外側梱包は、とりわけ、バッグ要素が、上方側に向かって延在する開口を有するように構成されてよい。開口は、とりわけ、閉鎖可能であるように構成されてよい。この目的のために、開口は、たとえば、少なくとも１つの接着つまみ、たとえば、接着表面および／または接着テープによって閉鎖可能である接着つまみを有することができる。たとえば、開口を閉鎖するために、開口の方に向いているバッグ壁縁が、開口のもう１つの縁の上で留められて、前記開口に接着結合されてよい。少なくとも１つの開口の、他のタイプの閉鎖可能な構成もまた考えられる。
【００４７】
バッグ要素は、とりわけ、その寸法の点において、運搬体要素に適応されてよい。運搬体要素は、とりわけ、長方形の形状を有することができ、バッグ要素は、４つの側を有し、そのうちの少なくとも２つの互いに向かい合う側が、少なくとも縁のエッジの長さに対応する幅を有する。このようにして、たとえば、少なくとも１つのバッグ要素が、しかし原則としては、複数のバッグ要素もまた、運搬体要素に提供されてもよい。原則としては、他の構成もまた可能である。
【００４８】
運搬体要素は、とりわけ、その寸法の点において、通常のパレット、たとえば、ユーロパレットおよび／またはワールドパレットと互換性があるように構成されてよい。たとえば、運搬体要素は、２つのエッジの長さを有する長方形の断面積を有することができ、それぞれのエッジの長さは、ユーロパレットまたはワールドパレットのエッジの長さの整数の除数に対応して、互いに独立して選択されてよい。たとえば、運搬体要素の１つの側は、ユーロパレットまたはワールドパレットの第１のエッジの長さの１／１、１／２、１／３、１／４、１／５、または１／６に対応する長さであってよい。運搬体要素の第２の側は、たとえば、ユーロパレットまたはワールドパレットの第２のエッジの長さの１／１、１／２、１／３、１／４、１／５、または１／６に同様に対応するエッジの長さを有することができる。それにより、たとえば、ユーロパレットまたはワールドパレットを伴う輸送ユニットの代わりに、またはそのような輸送ユニットに加えて、本発明による外側梱包が、貨物コンパートメントに導入され、任意のやり方で従来の貨物品と組み合わされることが可能である。
【００４９】
さらに可能な構成は、バッグ要素に関する。バッグ要素は、たとえば、とりわけ少なくとも１つのフィルムバッグを含むことができ、すなわち、バッグ壁としてフィルム材料を含むバッグ要素として構成されてよい。とりわけ、前記フィルムバッグは、単層として、あるいは、多層において設計され得るプラスチック材料から作り出されてよい。とりわけ、プラスチック材料は、ポリエチレン、ポリプロピレン、ポリエチレンテレフタレートからなるグループから選択されてよい。プラスチック材料は、透明、あるいは、不透明であるように構成されてよい。多層材料が提供される場合、前記材料は、たとえば、共有押出し成形によって作り出されてよい。さらに、代替として、またはそれに加えて、原則としてはまた、金属フィルム材料および／または紙フィルム材料の使用がなされてもよい。たとえば、プラスチックおよび金属のラミネート材料、たとえば、金属的に被覆されたフィルムバッグの使用もまたなされてよい。
【００５０】
外側梱包はさらに、バッグ要素の外部側面に、少なくとも１つの情報ラベルを含むことができる。前記情報ラベルは、たとえば、到着情報、内容物情報、危険材料情報、取扱い情報、宛先情報、製造元情報、受取人情報、または他のタイプの情報を含むことができる。従来の輸送ユニットと異なり、たとえば、１つまたは複数の紙ラベルおよび／またはプラスチックラベルを含むことができる前記情報ラベルは、したがって、もはや必ずしも梱包手段に適用される必要はなく、それどころか、バッグ要素の外部側面の１つまたは複数の情報ラベルで十分であり得る。これは、たとえば、ＩＡＴＡガイドラインに従った識別情報を保証することを可能にする。少なくとも１つの情報ラベルは、たとえば、バッグ要素に接着結合されてよく、しかし、原則としてはまた、別のやり方で、たとえば、ラミネート法および／または他の方法によって、バッグ要素に接続されてもよい。
【００５１】
本発明のさらなる態様において、輸送中の少なくとも１つの製品を保護するための方法が提案される。この事例において、製品は、包装手段、好ましくは、少なくとも１つのカートンによって、少なくとも部分的に取り囲まれている。この事例において、少なくとも１つの包み、たとえば、立方体様の包みが形成される。たとえば、本方法の状況内において、この包みのために、とりわけ、２つのエッジの長さを有する立方体様の座面を有する包装手段の使用がなされてよく、２つのエッジの長さは、それぞれの事例で互いに独立した、基底部の座面のエッジの長さの整数の除数、たとえば、１／１、１／２、１／３、１／４、１／５、１／６、１／７、１／８、１／９、または１／１０の長さである。
【００５２】
包みは、輸送中に包みを保護するための外側梱包、とりわけ、上で説明された構成のうちの１つまたは複数に従った外側梱包に収容され、したがって、外側梱包の考え得る構成について、上の説明への参照がなされてよい。外側梱包は、上方側および下方側を有する少なくとも１つの運搬体要素を有し、運搬体要素は、下方側に向けられた少なくとも１つの基底部と、上方側に向けられた少なくとも１つの縁とを含む。運搬体要素は、少なくとも部分的に上方側に向かって開いている。包みは、前記包みが運搬体要素によって運搬されるように、外側梱包の中に導入される。外側梱包はさらに、少なくとも１つのバッグ要素を有し、包みは、運搬体要素によって運搬される包みをバッグ要素が取り囲むように、バッグ要素の中に導入される。バッグ要素は、運搬体要素の縁を超えて、運搬体要素の上方側に延在する。
【００５３】
バッグ要素および運搬体要素の互いに対する配置の構成に応じて、少なくとも１つの包みが、たとえば、運搬体要素の基底部に直接置かれてよく、運搬体要素および包みの両方が、バッグ要素によって取り囲まれる。しかしながら、代替として、またはそれに加えて、包みが、最初にバッグ要素の中に導入されてもまたよく、次いでバッグ要素と共に、運搬体要素の基底部の上に載せられてもよい。この事例では、複数の包みがまた、重なり合う複数の層で積み重ねられてもよい。
【００５４】
提案される方法は、とりわけ、追加の輸送パレットが使用されず、したがって、たとえば、運搬体要素が、貨物コンパートメントの床の上、および／または他の輸送ユニットの上に直接置かれ得るように実施される。さらに、方法は、とりわけ、外側梱包の他に、さらなる保護手段が提供されないように実施されてよい。とりわけ、１つまたは複数のバンドによるひも掛けが省略されてもよく、オプションでエッジ防護具もまた省略されてよい。
【００５５】
方法および外側梱包は、とりわけ、輸送中の危険物を保護するために使用されてよい。方法は、原則として、陸上、海上、または空路による任意の輸送ルートに使用可能である。
【００５６】
要約すると、以下の実施形態が、本発明の状況内において特に好ましい。
実施形態１：上方側および下方側を有する少なくとも１つの運搬体要素を含む、輸送中の少なくとも１つの包みを保護するための外側梱包であって、運搬体要素は、下方側に向けられた少なくとも１つの基底部と、上方側に向けられた少なくとも１つの縁とを含み、運搬体要素は、上方側に向かって少なくとも部分的に開いており、包みを運搬するように設計されており、外側梱包はさらに、少なくとも１つのバッグ要素を含み、バッグ要素は、運搬体要素によって運搬される包みを取り囲むように設計されており、バッグ要素は、前記バッグ要素が少なくとも最大にものが詰められている状態で、運搬体要素の縁を超えて、運搬体要素の上方側に延在するように、運搬体要素に対して配置される、外側梱包。
【００５７】
実施形態２：運搬体要素および少なくとも１つのバッグ要素は、バッグ要素が運搬体要素を、完全に、または部分的に取り囲むように、互いに対して配置される、先行する実施形態に記載の外側梱包。
【００５８】
実施形態３：運搬体要素の基底部がバッグ要素の基底に置かれるように、バッグ要素が運搬体要素を取り囲む、先行する実施形態に記載の外側梱包。
実施形態４：運搬体要素が少なくとも２つのハンドルを有する、先行する実施形態の１つに記載の外側梱包。
【００５９】
実施形態５：運搬体要素が少なくとも２つのハンドルつまみを有し、ハンドルがハンドルつまみの中に配置される、先行する実施形態に記載の外側梱包。
実施形態６：ハンドルつまみは、運搬体要素の縁から、とりわけ上方側に向けて、外向きに引っ張ることができる、および／または広げることができる、先行する実施形態において特許請求される外側梱包。
【００６０】
実施形態７：引っ張り出された、および／または広げられた状態において、ハンドルつまみが、縁の上の横方向に突き出ない、先行する実施形態に記載の外側梱包。
実施形態８：バッグ要素が、運搬体要素を少なくとも部分的に取り囲み、バッグ要素が、少なくとも２つの開口を有し、ハンドル、とりわけハンドルつまみが、開口を通して利用可能である、４つの先行する実施形態の１つに記載の外側梱包。
【００６１】
実施形態９：ハンドル、とりわけハンドルつまみが、開口を通してバッグ要素から突き出る、先行する実施形態に記載の外側梱包。
実施形態１０：ハンドルがそれぞれ、少なくとも１つのハンドル補強材を有し、とりわけ、それぞれ、カートン材料の上に載せられた少なくとも１つのハンドル補強材を有する、５つの先行する実施形態の１つに記載の外側梱包。
【００６２】
実施形態１１：運搬体要素および少なくとも１つのバッグ要素が、以下の、
−  バッグ要素の基底が運搬体要素の基底部に置かれるように、バッグ要素が運搬体要素の中に導入される、
−  運搬体要素の基底部がバッグ要素の基底に置かれるように、バッグ要素が運搬体要素を取り囲む、
やり方から選択される少なくとも１つのやり方で、互いに対して配置される、先行する実施形態の１つに記載の外側梱包。
【００６３】
実施形態１２：運搬体要素およびバッグ要素が、とりわけ、一体的な結合接続、好ましくは、接着結合によって、互いに接続されている、先行する実施形態の１つに記載の外側梱包。
【００６４】
実施形態１３：バッグ要素が少なくとも１つの受け入れ状態にされることが可能であり、受け入れ状態において、包みを詰めるためのバッグ要素の開口を開くために、バッグ要素のバッグ縁がめくられる、先行する実施形態の１つに記載の外側梱包。
【００６５】
実施形態１４：運搬体要素が、カートン材料、プラスチック材料、とりわけ発砲プラスチック材料、木質材料からなるグループから選択される材料より、少なくとも部分的に作り出される、先行する実施形態の１つに記載の外側梱包。
【００６６】
実施形態１５：バッグ要素が、上方側に向かって延在する開口を有し、開口が、閉鎖可能であるように設計される、先行する実施形態の１つに記載の外側梱包。
実施形態１６：運搬体要素が、長方形の形状を有し、バッグ要素が、４つの側を有し、そのうちの少なくとも２つの互いに向かい合う側が、少なくとも縁のエッジの長さに対応する幅を有する、先行する実施形態の１つに記載の外側梱包。
【００６７】
実施形態１７：バッグ要素が、とりわけ、プラスチック材料、好ましくは、ポリエチレン、ポリプロピレン、ポリエチレンテレフタレートからなるグループより選択されるプラスチック材料で作られた、少なくとも１つのフィルムバッグを含む、先行する実施形態の１つに記載の外側梱包。
【００６８】
実施形態１８：少なくとも１つの情報ラベルが適用され、好ましくは、バッグ要素の外部側面に接着結合される、先行する実施形態の１つに記載の外側梱包。
実施形態１９：輸送中の少なくとも１つの製品を保護するための方法であって、製品が、少なくとも１つの包装手段、好ましくは少なくとも１つのカートンによって、少なくとも部分的に取り囲まれ、少なくとも１つの包みが形成され、包みは、輸送中の少なくとも１つの包みを保護するための外側梱包、とりわけ先行する請求項の１つにおいて特許請求される外側梱包に収容され、外側梱包は、上方側および下方側を有する少なくとも１つの運搬体要素を含み、運搬体要素は、下方側に向けられた少なくとも１つの基底部と、上方側に向けられた少なくとも１つの縁とを含み、運搬体要素は、上方側に向かって少なくとも部分的に開いており、少なくとも１つの包みは、前記包みが運搬体要素によって運搬されるように、外側梱包の中に導入され、外側梱包はさらに、少なくとも１つのバッグ要素を含み、包みは、運搬体要素によって運搬される包みをバッグ要素が取り囲むように、バッグ要素の中に導入され、バッグ要素は、運搬体要素の縁を超えて、運搬体要素の上方側に延在する、方法。
【００６９】
提案される外側梱包、および提案される方法は、知られている外側梱包および方法に比べ、数多くの利点を有する。外側梱包は、とりわけ、小さな外側梱包（Ｌｉｔｔｌｅ  Ｏｖｅｒｐａｃｋ、ＬＯＰ）として使用されてよい。運搬体要素は、とりわけ、安定したカートン材料からなるポータブルな基本パレットとして設計されてよい。結果として、運搬体要素は、たとえば、プラスチック材料または木質材料で作られた従来の輸送パレットとは異なり、コスト効率よく構成され得る。運搬体要素はまた、たとえば、折りたたみ可能に設計されてもよく、したがって、たとえば、多様な運搬体要素が、折りたたまれた状態で、たとえば、さらに折りたたまれる平面のボール紙片として供給されてよいが、それらは、あらかじめ切り込まれている、および／または、あらかじめ穴が開けられている。バッグ要素は、とりわけ、たとえば運搬体要素に固定され得る、または、バッグ要素の中で運搬体要素が固定され得る、閉鎖可能なフィルムバッグとして設計されてよい。とりわけ、複数の異なる比較的小さな包み、とりわけ危険物カートンを伴う包みが、フィルムバッグの中で組み合わされてよく、それにより、前記個々の包み、およびとりわけ危険物カートンを発送するコストおよび取扱いの複雑さが、大幅に削減されるのを可能にする。
【００７０】
とりわけ、外側梱包を用いて、包みの固定ひも掛け、たとえば、運搬体としての輸送パレットへのひも掛けが回避され得る。
さらに、コスト効率よく設計され得る小さな外側梱包を形成することもまた可能であり、これは、とりわけ、外側梱包またはその部品の考え得る使い捨て可能な性質のおかげで、コスト効率よく設計され得る。本発明による外側梱包、とりわけ、Ｌｉｔｔｌｅ  Ｏｖｅｒｐａｃｋの状況内において、積荷運搬体としての輸送パレットは、全体として省略されてよく、したがって、パレット重量のコストおよび輸送パレット自体のコストを節約することを可能にする。外側梱包、とりわけ、Ｌｉｔｔｌｅ  Ｏｖｅｒｐａｃｋは、実質的にすべての包みの大きさに柔軟に使用可能である。これは、個々の包みをまとめるときのプランを立てる複雑さをかなり回避する。最近の外側梱包の事例では、たとえば、パレットに対し少なくとも１層のカートンなど、便宜的な数の包みが概して提供されなければならないのに対し、本発明による外側梱包は、たとえば、後者が小さなオーバーパックとして扱われることによって、２つ以上の包みの小さな注文にもまた、柔軟に応える可能性を提供する。バッグ要素の使用が、輸送ユニットの表面を柔軟な適応を可能にするため、外側梱包は、とりわけ、平面内に異なる高さの複数の包みが互いに隣り合わせに置かれた輸送ユニットにおいてもまた、使用されてよい。
【００７１】
さらに、本発明による外側梱包における複数の包みの組み合わせは、検査コストの点において、かなりのコスト削減につながり得る。たとえば、とりわけ航空貨物では、包みのそれぞれの削減が検査料金の削減につながり、これは、通常、空港での危険物検査の事例で、包みにつき、およそ３から４ユーロである。
【００７２】
さらに、本発明による外側梱包は、概して、これまでの外側梱包よりも取扱いが簡単である。積み重ねプランに従って包みが置かれ、フィルムで巻きつけられる、積荷運搬体としての輸送パレットを用いた最近の外側梱包の作製における、上で説明した作業経費は、したがって、大幅に削減されてよい。輸送ユニットに巻きつけるためのフィルムの使用は、完全に省略されてよい。外側梱包を作り出すための作業手順は、とりわけ、バッグ要素、とりわけ閉鎖可能なバッグ要素の中に包みが包まれ、それに続いて前記バッグ要素が閉鎖されることに限定されてよい。
【００７３】
上で説明されたように、本発明による外側梱包の状況内において、輸送パレットは、とりわけ、なしで済まされてよい。それでもなお、外側梱包は、追加的に、１つまたは複数の輸送パレット、たとえば、１つまたは複数のユーロパレットおよび／または１つまたは複数のワールドパレットとの組み合わせにおいて、使用されてもよい。たとえば、１つのユーロパレットが、本発明による外側梱包を有する２つの輸送ユニットのために使用されてよい。本発明によるそれぞれの事例における複数の輸送ユニットの１つの外側梱包とのそのような組み合わせは、とりわけ、輸送パレットの数、および／または必要な保管コンパートメントの数、および／またはトラックおよび／もしくはコンテナにおける預け入れ空間を削減することができる。さらに、輸送重量および／または輸送コストが、かなり削減され得る。輸送は、好ましくは、以下のように行われる。本発明による外側梱包の事例において、オプションの輸送パレットは、輸送手段に同時に積まれず、したがって、たとえば、１つの発送箇所から別の発送箇所へ、たとえば、店舗からトラックへと輸送ユニットを移送するとき、輸送パレットは、定位置にあったままでよく、輸送ユニットが、たとえば、輸送パレットから引き上げられてよい。前記引き上げのために、たとえば、上で説明されたオプションのハンドルの使用がなされてよい。これにより、たとえば、輸送パレットのコストを節約することを可能にする。全体的に、本発明による外側梱包および本発明による方法は、したがって、輸送コスト、保管コスト、および作業コストの点において、かなりの量の節約をもたらすことができる。
【００７４】
本発明のさらなる詳細および特徴は、とりわけ従属請求項と併用して、以下の好ましい例示的な実施形態の説明から明らかになる。ここでは、それぞれの特徴がそれ自体で実装されること、または複数の前記特徴が互いに組み合わされて実装されることが可能である。本発明は、例示的な実施形態には限定されない。例示的な実施形態は、図面において概略的に図示される。個々の図面における同じ参照番号は、同一の要素、または、その機能の点で互いに対応した、機能的に同一の１つまたは複数の要素を示す。
【図面の簡単な説明】
【００７５】
【図１Ａ】本発明による外側梱包の第１の例示的な実施形態の図である。
【図１Ｂ】本発明による外側梱包の第１の例示的な実施形態の図である。
【図１Ｃ】本発明による外側梱包の第１の例示的な実施形態の図である。
【図２】運搬体要素の例示的な実施形態を示す図である。
【図３Ａ】本発明による外側梱包の第２の例示的な実施形態の図である。
【図３Ｂ】本発明による外側梱包の第２の例示的な実施形態の図である。
【図３Ｃ】本発明による外側梱包の第２の例示的な実施形態の図である。
【図４Ａ】ハンドルがバッグ要素の開口を通して外向きに突き出ている、本発明による外側梱包の第３の例示的な実施形態の図である。
【図４Ｂ】ハンドルがバッグ要素の開口を通して外向きに突き出ている、本発明による外側梱包の第３の例示的な実施形態の図である。
【図４Ｃ】ハンドルがバッグ要素の開口を通して外向きに突き出ている、本発明による外側梱包の第３の例示的な実施形態の図である。
【発明を実施するための形態】
【００７６】
図１Ａから図１Ｃは、本発明による外側梱包１１０の第１の例示的な実施形態のさまざまな図を示す。図１Ａは、包まれた状態における外側梱包１１０の透視図を示す。図１Ｂは、包みが収容されていない、受け入れ状態における外側梱包を通した断面図を示す。図１Ｃは、包み１１２がその中に収容された、外側梱包の概略断面図を示す。図１Ａにおける配置の中心平面が、図１Ｂおよび図１Ｃにおける断面平面として選択されている。参照は、以下の前記図面に共通して行われる。
【００７７】
図示された例示的な実施形態において、外側梱包１１０は、トレイ１１６の形で、運搬体要素１１４を含む。前記トレイ１１６は、下方側１１８に基底部１２０を有し、基底部１２０は、たとえば、図１Ａから明らかになるように、外側梱包１１０の上方側１２２に向けられた座面１２４を有する。さらに、運搬体要素１１４は、上向きに引っ張られる縁１２６を有し、縁１２６は、前記例示的な実施形態において、基底部１２０を取り囲み、上方側１２２に向かって延在する。たとえば、縁１２６は、座面１２４に対して垂直であってよい。
【００７８】
さらに、図示された例示的な実施形態において、運搬体要素１１４は、ハンドル１２８を有する。前記ハンドル１２８は、たとえば、縁１２６の上方エッジ１３０上の、２つの互いに向かい合う側に提供されてよい。ハンドル１２８は、たとえば、ハンドルつまみ１３２の形で提供されても、または、この例示的な実施形態の例として、内側から縁１２６を外向きに引っ張ることができる、このタイプのハンドルつまみ１３２を伴って提供されてもよい。縁１２６は、たとえば、２重に折りたたまれたカートンの縁であってよく、ハンドルつまみ１３２は、たとえば、折りたたまれたエッジが上方エッジ１３０で提供されるのを可能にする状態で、前記２重折りたたみの層の一部であってよい。ハンドルつまみ１３２は、たとえば、縁１２６から上向きに垂直に延在してよく、したがって、たとえば、接近して互いに隣り合わせにある外側梱包１１０は、互いに邪魔をせず、外側梱包１１０は、それでもなお、簡単につかめる。
【００７９】
運搬体要素１１４は、たとえば、カートン材料から作り出されてよい。図２は、たとえば、例として、たとえば平らなボール紙片として供給されてよい、そのような運搬体要素１１４の半加工品１３６を示す。前記図２における寸法は、ｍｍで示されており、単に例示目的であるものとして理解されるべきである。多様な異なる寸法もまた考えられる。この例示的な実施形態において、あるいは他の例示的な実施形態において、縁１２６は、たとえば、ハンドル１２８が提供される少なくとも２つの側に、折りたたみ線１３８を有することができることが、前記半加工品においてはっきりと見ることができ、前記折りたたみ線は続いて、上方エッジ１３０を形成し、それに沿って縁１２６がめくられてよい。半加工品１３６の縁１２６の前記側に沿ってオプションで、および半加工品１３６の他の箇所にやはりオプションで、たとえば、少なくとも１つの補強バンド１４０が提供されることが可能である。エッジにおいて、バンド１２６は、つまみ１４２を有することができ、折りたたみ線１３８での対応する折りたたみの後に、つまみ１４２は、基底部１２０の縁の対応する開口１４４の中に挿入されてよい。ハンドル１２８が提供されない縁１２６の側では、たとえば、半加工品１３６が折りたたまれるときに、つまみ１４６が、ハンドル１２８が配置される側で折りたたまれた縁１２６の層の間に挿入され得る簡単に、縁１２６が構成されてよい。半加工品１３６が組み立てられて、トレイ１１６が形成された後で、図１Ａから図１Ｃに従って、ハンドルつまみ１３２は、打ち抜き穴１４８に沿って、オプションで引き出されてよい。これにより、好ましくはそれ自体で使用され得る安定した運搬体要素１１４がもたらされ、しかし原則として、運搬体要素１１４はまた、追加的に、輸送パレットの上に直接的にまたは間接的に置かれてもよい。
【００８０】
図１Ａによる透視図から、および図１Ｃの断面図から、とりわけ明らかなように、例示的な実施形態において、バッグ要素１５０は、運搬体要素１１４の内部に導入される。バッグ要素１５０は、例として図１Ａに、設計を明らかにするために透過的に図示される。しかしながら、他の構成もまた可能である。単一のバッグ要素１５０による好ましい構成の代わりに、互いに隣り合わせで配置され得る、および／または互いに入れ子で配置され得る、複数のバッグ要素１５０を有する構成もまた可能である。バッグ要素１５０は、たとえば、基底１５４を有する柔軟なバッグ壁１５２を含むことができ、この例示的な実施形態では、基底１５４は、基底部１２０の座面１２４の上に置かれる。基底１５４および座面１２４は、オプションで、図１Ｂおよび図１Ｃに示されるように、たとえば１つまたは複数の両面接着テープ１５６を用いて、たとえば、一体的に結合されるように互いに接続されてもよい。
【００８１】
図１Ａに概略的に示される少なくとも１つの情報ラベル１５３が、とりわけ、バッグ要素１５０の少なくとも１つの外部側面に適用されてよく、この側面は、観察者またはユーザの目に見える。前記情報ラベル１５３は、外部側面に、たとえば、接着結合される、またはラミネートされてよい。
【００８２】
上方側１２２に向けられているバッグ要素１５０の側は、開口１５８を有する。１つまたは複数の包み１１２が外側梱包１１０の中に導入されている、図１Ａおよび１Ｃによる、ものが詰められた状態において、輸送ユニット１６０を作り出すために、開口１５８は、閉鎖されるように構成されてよい。前記閉鎖は、たとえば、少なくとも１つの閉鎖要素１６２を用いて、とりわけ、少なくとも１つの接着つまみ１６４を用いて、行われてよい。代替として、またはそれに加えて、接着細片および／または別のタイプの閉鎖要素１６２が提供されてもよい。
【００８３】
バッグ要素１５０は、たとえば、フィルムバッグ１６６として構成されてよい。たとえば、フィルムバッグ１６６は、プラスチックフィルムバッグであってよく、たとえば、ＰＥ材料および／または異なるプラスチック材料でできていてよい。多層のフィルムバッグ１６６もまた考えられる。プラスチック材料の代替として、またはそれに加えて、たとえば、この例示的な実施形態、あるいは他の例示的な実施形態において、金属材料および／または複合材料、たとえば、プラスチックおよび金属の複合材料、たとえば、金属被覆プラスチックフィルムバッグを使用することもまた可能である。さまざまな構成が、原則として、先行技術から知られている。
【００８４】
図１Ｂは、包み１１２がまだ外側梱包１１０の中に導入されていない、外側梱包１１０の受け入れ状態を図示する。前記受け入れ状態において、たとえば、開口１５８に向けられたバッグ縁１６８がめくられてよく、その向きは、内向き、あるいは外向きが可能である。これにより、開口１５８が開かれて、したがって、包み１１２（図１Ｂには図示せず）が、１つ、または重なり合う複数の層で、開口１４４の中に導入されてよい。バッグ縁１６８は続いて、折り返され、包み１１２の上方側の上で留められてよく、開口１５８が、閉鎖されてよい。
【００８５】
包み１１２それ自体は、それぞれ少なくとも１つの包装手段１７０を含んでよいことが、図１Ｃによる外側梱包１１０および輸送ユニット１６０の断面図から明らかである。前記包装手段１７０は、たとえば、カートン、たとえば、正方形のカートンを含むことができる。さらなる包装手段、たとえば、詰めもの１７２が、包装手段１７０の内部に提供されてもよい。さらに、図１Ｃに概略的に図示される少なくとも１つの製品１７４は、それぞれの事例において、包装手段１７０の内部に収容される。包装手段１７０の内部では、複数の製品１７４の包装もまた考えられる。製品１７４は、たとえば、液体、固体、または気体の類であってよく、それらの部分のために、少なくとも１つの一次梱包（図１Ｃには図示せず）、たとえば、ボトル、バッグ、カートン、ブリスターパック、または同様の一次梱包を有することができる。図１Ｃには、一層の包み１１２のみが基底部１２０の座面１２４の上に載せられているのが図示される。しかしながら、複数層の載置による構成もまた考えられる。バッグ要素１５０が例として透過的に図示される図１Ａによる図は、単に１つの包み１１２だけを図示する。前記図は、たとえば、整数個のそのような包み１１２が、運搬体要素１１４の少なくとも１つの側に沿って、好ましくは両側に沿って提供され得るように、包み１１２がエッジ寸法を有することができることを示す。
【００８６】
図３Ａから図３Ｃは、本発明による外側梱包１１０のさらなる例示的な実施形態を図示し、その構成に関して、最初に、図１Ａから図１Ｃの例示的な実施形態の説明、およびそこで説明された要素への参照が実質的になされてよい。再び、バッグ要素１５０は、さらなる実施形態を限定することなく、例として図３Ａに、図をわかりやすくするために透過的に示される。
【００８７】
図１Ａから図１Ｃによる構成とは異なり、図３Ａから図３Ｃによる外側梱包１１０では、バッグ要素１５０が運搬体要素１１４を取り囲むように、バッグ要素１５０および運搬体要素１１４がしかし、互いに対して配置される。前記取り囲むことは、運搬体要素１１４の基底部１２０が、バッグ要素１５０の基底１５４に置かれるように行われる。運搬体要素１１４に対してバッグ要素１５０を固定するために、１つまたは複数の接着テープ１５６が再び、オプションで、基底部１２０の下方側とバッグ要素１５０の基底１５４との間に提供されてよい。
【００８８】
図１Ｂによる受け入れ状態に基本的に対応する図３Ｂに図示された受け入れ状態において、および、たとえば、包み１１２（図３Ｂには図示せず）がバッグ要素１５０の開口１５８の中に導入され、同時に運搬体要素１１４の座面１２４の上に載せられてよい状態において、バッグ要素１５０のバッグ縁１６８は、図３Ｂに図示されるように、オプションで再び、たとえば外向きにめくられてよい。
【００８９】
バッグ要素１５０は、オプションで、図３Ａに象徴的に示される１つまたは複数の開口１７６を含むことができる。ハンドル１２８、およびオプションでハンドルつまみ１３２は、前記開口１７６を通してユーザに利用可能であってよい。前記開口１７６は、たとえば、図３Ａに見られるように、打ち抜き穴１７８をバッグ壁１５２に含むことができ、前記打ち抜き穴は、前記打ち抜き穴１７８を通して、オプションで打ち抜き穴１７８を切り開いた後に、ハンドル１２８が利用可能である場所に、配置される。ハンドルつまみ１３２は、前記開口１７６を通してオプションで外向きに折りたたまれてよく、したがって、たとえば、図には示されていないが、ハンドルつまみ１３２は、開口１７６を通してバッグ要素１５０の内部から外向きに突き出る。
【００９０】
図１Ａから図１Ｃによる構成と比較して、図３Ａから図３Ｃによる構成では、トレイ１１６が、したがって、バッグ要素１５０の内部に位置してよい。たとえば、紙バッグまたはプラスチックバッグであってよいバッグ要素１５０は、打ち抜き穴１７８を伴って構成されてよく、打ち抜き穴１７８を通して、たとえば、運搬ハンドルとしてのハンドルつまみ１３２が、必要なときに、バッグ要素１５０から導き出されてよく（ここでは図示せず）、または、打ち抜き穴１７８を通して、ハンドルつまみ１３２がつかまれてよい。図３Ｂに図示された、バッグ要素１５０が折り返されるように構成され得ることによる状況は、とりわけ、運搬体要素１１４がバッグ要素１５０の中に導入されるこの例示的な実施形態においては、絶対に必要というわけではない。というのは、運搬体要素１１４の剛性が、包み１１２を積むためのバッグ要素１５０の開口１５８を、好ましくは開いたまま保持するからである。荷積み動作の後で、図３Ａが示すように、バッグ要素１５０は、包み１１２の上で留められて、オプションで閉鎖されてよい。
【００９１】
図４Ａおよび図４Ｃは、本発明による外側梱包１１０の第３の例示的な実施形態の、さまざまな図およびさまざまな状態を図示する。例示的な実施形態は、主として、図３Ａから図３Ｃによる例示的な実施形態に対応し、したがって、前記図面の上の説明への参照が実質的になされてよい。再び、この例示的な実施形態では、運搬体要素１１４に載せられた包み１１２（複数の包みが提供されることもまた可能である）と共に、運搬体要素１１４がバッグ要素１５０の中に導入され、その結果、運搬体要素１１４は、完全に、または部分的に、バッグ要素によって取り囲まれる。図３Ａにおいて、必ずしもバッグ要素１５０の透明な特性を示す必要のないバッグ要素１５０が透過的に図示された一方で、図４Ａによる例示的な実施形態では、運搬体要素１１４および包み１１２が、図の中で、バッグ要素１５０の内部における前記要素の配置をより一層強調するために、破線によって図示される。他の点では、図４Ａの図は、図３Ａの図に対応する。図４Ａが、ものが詰められ、閉鎖した状態での外側梱包１１０の透視図を示す一方で、図３Ｂの図と類似した図４Ｂは、少なくとも１つの包み１１２を詰めるためのバッグ要素１５０の開口１５８を開くために、バッグ要素１５０のバッグ縁１６８がめくられた、外側梱包１１０の受け入れ状態を示す。図３Ｃと類似した図で、図４Ｃは、開口１５８が閉鎖された、ものが詰められた状態での外側梱包１１０を通した断面を示す。
【００９２】
図４Ａから図４Ｃの例示的な実施形態は、したがって、図３Ａから図３Ｃの例示的な実施形態に実質的に対応する。再び、バッグ要素１５０は、ハンドル開口ともまた呼ばれてよい開口１７６、たとえば、スロット形状の開口１７６、とりわけ、打ち抜き穴１７８を、バッグ要素１５０のバッグ壁１５２に有する。前記開口１７６は、好ましくは、運搬体要素１１４の下方側１１８から少なくとも１００ｍｍの距離にあってよい。図３Ａから３Ｃの例示的な実施形態では、運搬体要素１１４のハンドル１２８がバッグ要素１５０の内部に配置されている一方で、図４Ａから図４Ｃによる例示的な実施形態では、ハンドル１２８、とりわけハンドルつまみ１３２が、開口１７６を通してバッグ要素１５０から突き出る。したがって、図４Ａによる図のハンドルつまみ１３２は、右側では破線によって図示されていない。図４Ａおよび図４Ｃに図示されるように、ハンドルつまみ１２８は、運搬体要素１１４の上方エッジ１３０から垂直上向きに突き出ることができるが、図４Ｂに示されるように、横方向に折りたたむこともまたできる。ハンドル１２８、およびとりわけハンドルつまみ１３２が開口１７６を通して外向きに突き出る構成は、上で説明されたような多くの利点を有する。この構成では、好ましくはカートン材料から作り出されてよい運搬体要素１１４が、完全に、または部分的に、バッグ要素１５０によって取り囲まれており、したがって、湿気から防護される。そうでありながら同時に、ハンドル１２８は、輸送のために、梱包された状態、たとえば、図４Ａに図示される外側梱包１１０の閉鎖された状態であっても、外側から容易に利用可能である。
【００９３】
図４Ｂに図示されるように、バッグ縁１６８がめくられた受け入れ状態において、ハンドル１２８、およびとりわけハンドルつまみ１３２、ならびに開口１７６は、めくられたバッグ縁１６８の下に配置されてよい。他の構成もまた可能である。
【００９４】
さらに、図４Ａから図４Ｃの例示的な実施形態は、図３Ａから図３Ｃによる例示的な実施形態のさらなる可能な修正形態を示し、修正形態はまた、個々に、または任意の組み合わせにおいて実現可能であり、さらに、たとえば、図３Ａから図３Ｃによる例示的な実施形態においても実現可能である。とりわけ図４Ｂおよび図４Ｃから明らかであるように、図４Ａから図４Ｃの例示的な実施形態は、したがって、バッグ要素１５０と運搬体要素１１４との間の接続が必ずしも必要でないことを示す。とりわけ、運搬体要素１１４が、完全に、または部分的に、バッグ要素１５０によって取り囲まれている場合、図３Ａから図３Ｃにあるような、たとえば接着テープ１５６による運搬体要素１１４のバッグ要素１５０への固定は、なしで済まされてよい。運搬体要素１１４は、したがって、とりわけ、バッグ要素１５０の上にゆったりと置かれてよく、それにより、とりわけ、図４Ａに示された閉鎖状態において、バッグ要素１５０に対して運搬体要素１１４が滑ることは、もはやほとんど起こり得ない。
【００９５】
さらに、とりわけ図４Ｂから図４Ｃによる図において同様に明らかな、図４Ａから図４Ｃの構成は、この例示的な実施形態において、あるいは他の例示的な実施形態において、ハンドル１２８、およびとりわけハンドルつまみ１３２が、補強された設計であってよいことを示す。とりわけ、ハンドル１２８は、それぞれ、少なくとも１つのハンドル補強材１８０を有することができる。少なくとも１つのハンドル補強材１８０は、たとえば、ハンドル１２８を、完全に、または部分的に取り囲むことができる。たとえば、前記ハンドル補強材１８０は、ハンドル１２８の範囲において、運搬体要素１１４のカートン材料の上に載せられてよい。とりわけ、ハンドル補強材１８０は、完全に、または部分的に、接着テープから作り出されてよく、接着テープは、とりわけ、ハンドルつまみ１３２の上、たとえば、ハンドルつまみ１３２の、（図４Ｂおよび４Ｄで図示されるような）内部側面および／または外部側面の上に接着結合されてよい。
【符号の説明】
【００９６】
１１０  外側梱包
１１２  包み
１１４  運搬体要素
１１６  トレイ
１１８  下方側
１２０  基底部
１２２  上方側
１２４  座面
１２６  縁
１２８  ハンドル
１３０  上方エッジ
１３２  ハンドルつまみ
１３６  半加工品
１３８  折りたたみ線
１４０  補強バンド
１４２  つまみ
１４４  開口
１４６  つまみ
１４８  打ち抜き穴
１５０  バッグ要素
１５２  バッグ壁
１５３  情報ラベル
１５４  基底
１５６  接着テープ
１５８  開口
１６０  輸送ユニット
１６２  閉鎖要素
１６４  接着つまみ
１６６  フィルムバッグ
１６８  バッグ縁
１７０  包装手段
１７２  詰めもの
１７４  製品
１７６  開口
１７８  打ち抜き穴
１８０  ハンドル補強材
【図１Ａ】
0005937602.tif 000002
【図１Ｂ】
0005937602.tif 000003
【図１Ｃ】
0005937602.tif 000004
【図２】
0005937602.tif 000005
【図３Ａ】
0005937602.tif 000006
【図３Ｂ】
0005937602.tif 000007
【図３Ｃ】
0005937602.tif 000008
【図４Ａ】
0005937602.tif 000009
【図４Ｂ】
0005937602.tif 000010
【図４Ｃ】
0005937602.tif 000011